(57)【要約】      （修正有）【課題】非破砕氷の供給が求められている場合にこれに破砕氷を混在させない。【解決手段】出力軸１０の正転により非破砕氷を送り出す氷搬送体７と、入力軸９の正転により非破砕氷を破砕する回転刃５と、入力軸９の正転により第一ギヤが正転するときは第二ギヤを連れ回りさせ入力軸９の逆転により第一ギヤが逆転するときは第二ギヤを連れ回りさせない第一ワンウェイクラッチ１１０と、第一ワンウェイクラッチ１１０の第一ギヤに噛み合う第三ギヤと中間ギヤを介して第一ワンウェイクラッチ１１０の第二ギヤに連係された第四ギヤとを有し第一ギヤの逆転により第三ギヤが正転されるときは第四ギヤを連れ回りさせ第一ギヤの正転により第三ギヤが逆転されるときは第四ギヤを連れ回りさせない第二ワンウェイクラッチ１１１とを備える。【選択図】図１
2010286186.tif 000002
【特許請求の範囲】
【請求項１】
氷供給装置における製氷機構と氷排出部との間にあって、製氷機構により生成された非破砕氷を破砕氷にするクラッシャ機構であって、
製氷機構から供給される非破砕氷の貯留室にあって出力軸の正転により正転してこの貯留室にある非破砕氷を破砕室に送り出す氷搬送体と、
この破砕室にあって入力軸の正転により正転して破砕室に送り込まれた非破砕氷を破砕すると共に、逆転時にはこの破砕を生じさせないように構成された回転刃と、
入力軸の回転力を出力軸に伝達する伝達部とを備えており、
伝達部は、入力軸に接続された第一ギヤと出力軸に接続された第二ギヤとを有し、入力軸の正転により第一ギヤが正転するときは第二ギヤを連れ回りさせ、入力軸の逆転により第一ギヤが逆転するときは第二ギヤを連れ回りさせない第一ワンウェイクラッチと、
第一ワンウェイクラッチの第一ギヤに噛み合う第三ギヤと、中間ギヤを介して第一ワンウェイクラッチの第二ギヤに連係された第四ギヤとを有し、第一ギヤの逆転により第三ギヤが正転されるときは第四ギヤを連れ回りさせ、第一ギヤの正転により第三ギヤが逆転されるときは第四ギヤを連れ回りさせない第二ワンウェイクラッチとを備えてなることを特徴とする氷供給装置のクラッシャ機構。
【請求項２】
伝達部に、閉じ位置と開き位置とに亘る回動可能に備えられると共に、閉じ位置において氷排出部の一部を覆い、かつ、破砕室に送り込まれた非破砕氷を回転刃による破砕を蒙る位置に案内するカバーへの連係手段が備えられており、
この連係手段は、第二ワンウエィクラッチの第三ギヤに接続されたトルクリミッターを含んでおり、第三ギヤが逆転されるときにこのトルクリミッターを介してカバーが閉じ位置に位置づけられ、第三ギヤが正転されるときにこのトルクリミッターを介してカバーが開き位置まで回動され位置づけられるようになっていることを特徴とする請求項１に記載の氷供給装置のクラッシャ機構。
【発明の詳細な説明】
【技術分野】
【０００１】
この発明は、氷供給装置における製氷機構と氷排出部との間に配されて、この製氷機構により生成されて氷排出部に向けて搬送される非破砕氷を破砕氷にする機構の改良に関する。
【背景技術】
【０００２】
冷蔵庫や製氷機には、製氷機構で生成された氷、典型的には角氷を、さらに細かく砕いた氷として提供する機能を備えた氷供給装置を備えたものがある。かかる装置にあっては、製氷機構と氷排出部との間にクラッシャ機構を設けて角氷からさらに細かく砕いた氷を生成するようにしている。
【０００３】
図６にかかるクラッシャ機構の典型的な構成例を示す。図中符号２００は角氷の貯留室であり図示しない製氷機構において生成された角氷はこの貯留室２００に随時供給されて貯留される。図中符号２０１で示される隔壁を介してこの貯留室２００に破砕室２０３が隣接している。隔壁２０１には貯留室２００に蓄えられた角氷を破砕室２０３に送り込む連通開口２０２が設けられている。破砕室２０３内には、駆動軸２０４に設けられた回転刃２０５とこれと協働する固定刃２０６が配されている。一方、貯留室２００には前記駆動軸２０４にこの駆動軸２０４の回転により貯留室２００にある角氷を前記連通開口２０２を通じて破砕室２０３に送り出す氷搬送体２０７が備えられている。また、破砕室２０３内には、回転刃２０５の自由端２０５ａの移動軌跡にカバー２０８の内面２０８ａを近接させた閉じ位置からこれを離隔させた開き位置への移動を可能としたカバー２０８が備えられている。破砕室２０３の下部には氷排出部２０３ａが形成されており、カバー２０８は閉じ位置においてこの氷排出部２０３ａの一部を前記連通開口２０２を通じて送り込まれてきた角氷を回転刃２０５の作用を蒙ることなく外部に落下させないように覆う構造となっている。
【０００４】
氷供給装置を稼働させると、つまり、前記駆動軸２０４を回転駆動させると、貯留室２００から破砕室２０３に連続的に角氷が送り込まれる。送り込まれた角氷は回転刃２０５により図６の右側に移動されて固定刃２０６との間で破砕される。閉じ位置にあるカバー２０８は送り込まれた角氷が回転刃２０５の作用を蒙る位置から逃げないようにこれを案内している。カバー２０８を開き位置（図６において想像線で示す位置）に移動させると、前記連通開口２０２から送り出される角氷を回転刃２０５の作用を受けないようにして落下させることが可能となる。これにより貯留室２００に蓄えられた角氷を破砕せずに外部に排出することも可能となっている。
【０００５】
しかるに、この従来のクラッシャ機構では、カバー２０８を開き位置に移動させても回転刃２０５の作用を受ける位置に角氷が入り込むことを完全には防止できないことから、角氷のみの供給が求められている場合にも同時に細かく砕かれた氷を供給させてしまうことがあった。
【発明の概要】
【発明が解決しようとする課題】
【０００６】
この発明が解決しようとする主たる問題点は、この種の氷供給装置において非破砕氷（典型的には前記の角氷）の供給が求められている場合に、これに破砕氷が混在してしまう事態を確実に防止する点にある。
【課題を解決するための手段】
【０００７】
前記課題を達成するために、この発明にあっては、氷供給装置のクラッシャ機構を、以下の（１）〜（６）の構成を備えたものとした。
（１）氷供給装置における製氷機構と氷排出部との間にあって、製氷機構により生成された非破砕氷を破砕氷にするクラッシャ機構であって、
（２）製氷機構から供給される非破砕氷の貯留室にあって出力軸の正転により正転してこの貯留室にある非破砕氷を破砕室に送り出す氷搬送体と、
（３）この破砕室にあって入力軸の正転により正転して破砕室に送り込まれた非破砕氷を破砕すると共に、逆転時にはこの破砕を生じさせないように構成された回転刃と、
（４）入力軸の回転力を出力軸に伝達する伝達部とを備えており、
（５）伝達部は、入力軸に接続された第一ギヤと出力軸に接続された第二ギヤとを有し、入力軸の正転により第一ギヤが正転するときは第二ギヤを連れ回りさせ、入力軸の逆転により第一ギヤが逆転するときは第二ギヤを連れ回りさせない第一ワンウェイクラッチと、
（６）第一ワンウェイクラッチの第一ギヤに噛み合う第三ギヤと、中間ギヤを介して第一ワンウェイクラッチの第二ギヤに連係された第四ギヤとを有し、第一ギヤの逆転により第三ギヤが正転されるときは第四ギヤを連れ回りさせ、第一ギヤの正転により第三ギヤが逆転されるときは第四ギヤを連れ回りさせない第二ワンウェイクラッチとを備えてなる。
【０００８】
入力軸の正転時には第一ギヤと第二ギヤは共に正転され、出力軸は正転される。このとき第一ギヤに噛み合う第三ギヤは逆転され、中間ギヤを介して第四ギヤは正転されるが、第二ワンウェイクラッチは第三ギヤの逆転時には第三ギヤに第四ギヤは連れ回りしない構成であるので、出力軸の正転を第二ワンウェイクラッチは妨げない。出力軸の正転により氷搬送体は非破砕氷を破砕室に送り出し、破砕室では回転刃による非破砕氷の破砕がなされる。
【０００９】
入力軸の逆転時には第一ギヤは逆転されるが、第一ワンウェイクラッチは第一ギヤの逆転時には第一ギヤに第二ギヤは連れ回りしない構成であるので、入力軸の回転力は第二ギヤ、つまりは出力軸に直接は伝達されない。このとき第一ギヤに噛み合う第三ギヤは正転され、第三ギヤが正転されるときは第四ギヤも正転されることから、中間ギヤを介して第二ギヤは正転され出力軸は正転される。これにより入力軸の逆転時においても出力軸は正転して氷搬送体は非破砕氷を破砕室に送り出す。このとき破砕室では回転刃は逆転されるので破砕室に送り込まれた非破砕氷は破砕されることなく氷排出部から外部に排出される。
【００１０】
前記伝達部にさらに、閉じ位置と開き位置とに亘る回動可能に備えられると共に、閉じ位置において氷排出部の一部を覆い、かつ、破砕室に送り込まれた非破砕氷を回転刃による破砕を蒙る位置に案内するカバーへの連係手段を備えさせ、  この連係手段を、第二ワンウエィクラッチの第三ギヤに接続されたトルクリミッターを含み、第三ギヤが逆転されるときにこのトルクリミッターを介してカバーが閉じ位置に位置づけられ、第三ギヤが正転されるときにこのトルクリミッターを介してカバーが開き位置まで回動され位置づけられるようにしておくこともある。
【００１１】
このようにした場合、前記入力軸の回転によりカバーの動作を生じさせるようにしながら、このカバーが閉じ位置及び開き位置にある状態を機構に負荷を生じさせずに維持することができる。
【発明の効果】
【００１２】
この発明によれば、非破砕氷の供給が求められている場合には、伝達部により入力軸を逆転させながら出力軸を正転させることができ、入力軸の逆転時は回転刃は破砕室内の非破砕氷を破砕しないことから、貯留室にある非破砕氷を破砕氷を混在させることなく破砕室を介して外部に供給させることができる。
【図面の簡単な説明】
【００１３】
【図１】図１はクラッシャ機構の要部斜視構成図であり、非破砕氷を破砕して破砕氷を生成するときの動作状態を示している。
【図２】図２はクラッシャ機構の要部斜視構成図であり、非破砕氷を破砕せずに外部に送り出すときの動作状態を示している。
【図３】図３は図１の状態における伝達部の要部構成を貯留室側から見て示した斜視構成図である。
【図４】図４は図２の状態における伝達部の要部構成を貯留室側から見て示した斜視構成図である。
【図５】図５はトルクリミッターの斜視構成図である。
【図６】図６は従来のクラッシャ機構の要部斜視構成図である。
【発明を実施するための形態】
【００１４】
以下、図１〜図５に基づいて、この発明の典型的な実施の形態について説明する。この実施の形態にかかるクラッシャ機構は、氷供給装置（デイスペンサ）における製氷機構と氷排出部３ａとの間に配されて、この製氷機構により生成されて氷排出部３ａに向けて搬送される非破砕氷を破砕氷にするものである。
【００１５】
典型的には、かかるクラッシャ機構は、前記氷供給装置を備えた冷蔵庫や製氷機に備えられる。冷蔵庫にかかる氷供給装置が備えられる場合、典型的には冷蔵庫のドアの前面に備えられ、かかる氷供給装置によりこのドアを開けることなく破砕氷又は非破砕氷の外部への供給が可能とされる。典型的には、氷排出部３ａの下方には供給される氷を受ける容器などの載置部が形成される。この場合には、載置部の上方に配された氷排出部３ａから氷は落下してかかる容器に供給される。
【００１６】
また、典型的には、非破砕氷は角氷として製氷機構において生成される。クラッシャ機構はこの非破砕氷をその貯留室１から破砕室３に搬送する氷搬送体７を有している。後述する伝達部１１の機能により、入力軸９が正逆いずれに回転する場合でも氷搬送体７は非破砕氷を貯留室１から破砕室３に搬送するように動作する。一方、破砕室３には入力軸９の正転時にはこのように搬送される非破砕氷を破砕するが、入力軸９の逆転時にはこの破砕を生じないように構成された回転刃５が配されている。これにより、入力軸９の正転時には氷排出部３ａから破砕氷が連続的に排出され、入力軸９の逆転時には氷排出部３ａから非破砕氷が連続的に排出される。したがってまた、入力軸９を駆動させない非稼働状態では氷排出部３ａからの氷の排出は停止される。
【００１７】
図示の例では、クラッシャ機構は、横向きに配された入力軸９と出力軸１０との間にこの入力軸９の回転力を出力軸１０に伝達する伝達部１１を備えている。仮想の一つの直線ｘが入力軸９の中心を通り且つ出力軸１０の中心を通るように入力軸９と出力軸１０とは配されている。この入力軸９に回転刃５が備えられ、この出力軸１０に氷搬送体７が備えられている。図示の例では、縦向きの隔壁２により貯留室１と破砕室３とが区分されている。図示の例では、伝達部１１と出力軸１０及び入力軸９はまとめられてユニット化されており、かかる隔壁２にこのユニットを備え付けることで、出力軸１０が貯留室１に配され、入力軸９が破砕室３に配されるようになっている。かかる隔壁２の下部には破砕室３との連通開口２ａが形成されている。この連通開口２ａは入力軸９を通る仮想の鉛直線ｙを挟んだ一方側（図１においては左側）に形成されている。貯留室１には図示しない製氷機構において生成された非破砕氷が上方から送り込まれ、貯留室１に受け入れられた非破砕氷は出力軸１０の正転により氷搬送体７によって連通開口２ａを通じて破砕室３に送り込まれる。破砕室３の下部には前記氷排出部３ａとなる開放部が形成されている。図中符号９ａは入力軸９の一方端部に備えられた図示しないモータの出力部に対する接続部である。このモータの駆動を制御することにより、出力軸１０を正転又は逆転させることができる。一方、入力軸９は前記伝達部１１によってモータの駆動時は常時正転される。
【００１８】
氷搬送体７は、出力軸１０の正転により、貯留室１にある非破砕氷を破砕室３に送り出すように構成される。図示の例では、かかる氷搬送体７は、出力軸１０に接続された中心軸を約１８０度の範囲で巡るスクリュ状部７ａを備えてなる。そしてこのスクリュ状部７ａと前記隔壁２との間に入り込んだ非破砕氷を出力軸１０の正転によりスクリュ状部７ａの隔壁２に向き合った側の面で横方向に押して前記連通開口２ａを通じて破砕室３に送り込むようになっている。
【００１９】
回転刃５は、入力軸９の正転により正転して破砕室３に送り込まれた非破砕氷を破砕すると共に、逆転時にはこの破砕を生じさせないように構成される。図示の例では、かかる回転刃５は一端を入力軸９に固定させこの入力軸９に直交する向きに延びる長板状をなすように構成されている。この回転刃５における正転前方に位置される板縁部が波形状をなすように成形された刃部５ｂとなっている。この刃部５ｂと反対の板縁部はこのように構成されない背部となっている。そして、図示の例では、破砕室３内における前記鉛直線ｙを挟んだ他方側（図１においては右側）には図示しない固定刃が配されており、前記連通開口２ａから送り込まれる非破砕氷は正転（図１における時計回りの向き）する回転刃５の刃部５ｂにより図１における右側に移動されこの回転刃５と固定刃との間に挟まれるようになって破砕される構成となっている。回転刃５が逆転（図１における反時計回りの向き）されるときは、回転刃５は前記連通開口２ａから送り込まれる非破砕氷を固定刃と挟み込む側に案内せず、非破砕氷は破砕されることなく落下して氷排出部３ａから下方に送り出される。図示の例では、氷排出部３ａは入力軸９の正転時には後述するカバー８により破砕氷は通過させるが非破砕氷を通過させないようにその一部を覆われるようになっている。（図１）また、この入力軸９の正転時には、カバー８の内面８ａが回転刃５の他端、つまり自由端５ａの移動軌跡近傍に位置されて前記連通開口２ａから送り込まれる非破砕氷をこの回転刃５の刃部５ｂ上に案内するようになっている。一方、入力軸９の逆転時にはかかるカバー８は開き位置まで回動されて非破砕氷の氷排出部３ａからの送り出しを妨げないようになっている。（図２）なお、図１〜図４においては、前記正転を示す矢印を実線で、逆転を示す矢印を破線で表している。
【００２０】
伝達部１１は、入力軸９の回転力、つまりモータの駆動力を、入力軸９が正逆いずれの向きに回転するときでも出力軸１０を正転させるように、この出力軸１０に伝達する構成となっている。
【００２１】
伝達部１１は、入力軸９に接続された第一ギヤ１１０ａと出力軸１０に接続された第二ギヤ１１０ｂとを有し、入力軸９の正転により第一ギヤ１１０ａが正転するときは第二ギヤ１１０ｂを連れ回りさせ、入力軸９の逆転により第一ギヤ１１０ａが逆転するときは第二ギヤ１１０ｂを連れ回りさせない第一ワンウェイクラッチ１１０と、
第一ワンウェイクラッチ１１０の第一ギヤ１１０ａに噛み合う第三ギヤ１１１ａと、中間ギヤ１１２を介して第一ワンウェイクラッチ１１０の第二ギヤ１１０ｂに連係された第四ギヤ１１１ｂとを有し、第一ギヤ１１０ａの逆転により第三ギヤ１１１ａが正転されるときは第四ギヤ１１１ｂを連れ回りさせ、第一ギヤ１１０ａの正転により第三ギヤ１１１ａが逆転されるときは第四ギヤ１１１ｂを連れ回りさせない第二ワンウェイクラッチ１１１とを備えてなる。
【００２２】
図示の例では、各ギヤ１１０ａ、１１０ｂ、１１１ａ、１１１ｂの回転軸は、いずれも横向きで相互に平行をなしている。また、図示の例では、第一ワンウェイクラッチ１１０は、回転中心を同一とするように組み合わされた外輪体１１０ａ’と内輪体１１０ｂ’とを備えている。外輪体１１０ａ’と内輪体１１０ｂ’との間には典型的には両者を外輪体１１０ａ’が正転されるときには接続し逆転されるときはこの接続を解く図示しない連係部材が介在されている。そしてこの外輪体１１０ａ’により前記第一ギヤ１１０ａを構成させると共に、内輪体１１０ｂ’の外側に前記第二ギヤ１１０ｂを備えさせている。前記入力軸９は第一ギヤ１１０ａの外面側（前記隔壁２に向き合わない側）においてこの第一ギヤ１１０ａの回転中心位置にその軸端を固定させている。第二ギヤ１１０ｂは第一ギヤ１１０ａより小径であってこの第一ギヤ１１０ａの内面から突き出すように設けられている。前記出力軸１０はこの第二ギヤ１１０ｂの回転中心位置から突き出すように設けられている。
【００２３】
また、図示の例では、第二ワンウェイクラッチ１１１も、回転中心を同一とするように組み合わされた外輪体１１１ａ’と内輪体１１１ｂ’とを備えている。外輪体１１１ａ’と内輪体１１１ｂ’との間には典型的には両者を外輪体１１１ａ’が正転されるときには接続し逆転されるときはこの接続を解く図示しない連係部材が介在されている。そしてこの外輪体１１１ａ’により前記第三ギヤ１１１ａを構成させると共に、内輪体１１１ｂ’の外側に前記第四ギヤ１１１ｂを備えさせている。第四ギヤ１１１ｂは第三ギヤ１１１ａより小径であってこの第三ギヤ１１１ａの内面から突き出すように設けられている。前記ユニットを構成するユニットボックス１２には第二ギヤ１１０ｂと第四ギヤ１１１ｂとの間において両ギヤ１１０ｂ、１１１ｂに共に噛み合う中間ギヤ１１２が回転可能に支持されている。（図３）また、第一ギヤ１１０ａと第三ギヤ１１１ａも互いに噛み合うようにユニットボックス１２に支持されている。
【００２４】
入力軸９の正転時には第一ギヤ１１０ａと第二ギヤ１１０ｂは共に正転され、出力軸１０は正転される。このとき第一ギヤ１１０ａに噛み合う第三ギヤ１１１ａは逆転され、中間ギヤ１１２を介して第四ギヤ１１１ｂは正転されるが、第二ワンウェイクラッチ１１１は第三ギヤ１１１ａの逆転時には第三ギヤ１１１ａに第四ギヤ１１１ｂは連れ回りしない構成であるので、出力軸１０の正転を第二ワンウェイクラッチ１１１は妨げない。出力軸１０の正転により氷搬送体７は非破砕氷を破砕室３に送り出し、破砕室３では回転刃５による非破砕氷の破砕がなされる。（図１、図３）
【００２５】
入力軸９の逆転時には第一ギヤ１１０ａは逆転されるが、第一ワンウェイクラッチ１１０は第一ギヤ１１０ａの逆転時には第一ギヤ１１０ａに第二ギヤ１１０ｂは連れ回りしない構成であるので、入力軸９の回転力は第二ギヤ１１０ｂ、つまりは出力軸１０に直接は伝達されない。このとき第一ギヤ１１０ａに噛み合う第三ギヤ１１１ａは正転され、第三ギヤ１１１ａが正転されるときは第四ギヤ１１１ｂも正転されることから、中間ギヤ１１２を介して第二ギヤ１１０ｂは正転され出力軸１０は正転される。これにより入力軸９の逆転時においても出力軸１０は正転して氷搬送体７は非破砕氷を破砕室３に送り出す。このとき破砕室３では回転刃５は逆転されるので破砕室３に送り込まれた非破砕氷は破砕されることなく氷排出部３ａから外部に排出される。（図２、図４）
【００２６】
すなわち、この実施の形態にかかるクラッシュ機構によれば、破砕氷を必要とするときは入力軸９を正転駆動させて貯留室１から破砕室３に非破砕氷を送り出しながら破砕室３で破砕氷を生成して外部に連続的に送り出すことができる。一方、非破砕氷を必要とするときは入力軸９を逆転駆動させて貯留室１から破砕室３に非破砕氷を送り出すが破砕室３でこれに破砕を施すことなく外部に連続的に送り出すことができる。
【００２７】
また、この実施の形態にあっては、前記伝達部１１に、閉じ位置と開き位置とに亘る回動可能に備えられると共に、閉じ位置において氷排出部３ａから破砕氷は排出させるが非破砕氷を排出させないように覆い、かつ、破砕室３に送り込まれた非破砕氷を回転刃５による破砕を蒙る位置に案内するカバー８への連係手段１１３が備えられている。
【００２８】
図示の例では、かかるカバー８は、破砕室３内において回動可能に支持されている。カバー８の回動軸８ｂは前記入力軸９と平行をなしている。回動軸８ｂはカバー側ギヤ体８ｃの中心に備えられている。カバー側ギヤ体８ｃは連接腕８ｅをもってカバー８の上部に一体に連接されている。カバー８は閉じ位置において、前記上部から鉛直方向に沿って延びる垂下板部８ｆと、この垂下板部８ｆとの間に破砕室３の内方側を湾曲内側とする湾曲部を形成させながら図１の右側に延びる下側板部８ｇとを備えている。そして、前記閉じ位置においてカバー８の下側板部８ｇが図１の左側から連通開口２ａの直下位置までの間において前記氷排出部３ａを覆うようになっている。また、このとき、カバー８の内面８ａは回転刃５の自由端５ａの移動軌跡に近接して両者の間から下方に非破砕氷を逃がさないようになっている。回転刃５の正転時には前記連通開口２ａから送り込まれた非破砕氷は回転刃５により入力軸９を挟んだ右側に移動されてそこで固定刃との協働により破砕され閉じ位置にあるカバー８によって覆われていない氷排出部３ａの右側から破砕氷となって外部に落下される。一方、カバー８は前記閉じ位置からカバー８の回転軸の正転により図１における時計回りの向きに開き位置（図２）まで回動し、この開き位置においては下側板部８ｇによって氷排出部３ａを覆わないようになっている。また、このとき、カバー８の内面８ａは回転刃５の自由端５ａの移動軌跡から離隔して両者の間から下方に非破砕氷を逃がすようになっている。回転刃５の逆転時には前記連通開口２ａから送り込まれた非破砕氷は回転刃５上に乗り上げても回転刃５の逆転により下方への落下を妨げられず、破砕されることなく全開状態にある氷排出部３ａから外部に落下される。
【００２９】
図示の例では、かかるカバー８の閉じ位置と開き位置とに亘る回動が、前記連係手段１１３により、入力軸９の回転力によってなされるようになっている。図示の例では、かかるカバー８のカバー側ギヤ体８ｃに備えられた当接部８ｄに対してカバー８の閉じ位置と開き位置とにおいてそれぞれ当接されるストッパー部１２ａ、１２ｂが前記ユニットボックス１２の外側に備えられている。（図２）
【００３０】
かかる連係手段１１３は、第二ワンウェイクラッチ１１１の第三ギヤ１１１ａに接続されたトルクリミッター１１３ａと、このトルクリミッター１１３ａとカバー側ギヤ体８ｃとの間にあって両者にそれぞれ噛み合った連係ギヤ１１３ｇとから構成されている。そして、第三ギヤ１１１ａが逆転されるときにこのトルクリミッター１１３ａを介してカバー８が閉じ位置に位置づけられ、第三ギヤ１１１ａが正転されるときにこのトルクリミッター１１３ａを介してカバー８が開き位置まで回動され位置づけられるようになっている。
【００３１】
入力軸９の正転時には第三ギヤ１１１ａは逆転されトルクリミッター１１３ａも逆転されることから、連係ギヤ１１３ｇを介してカバー側ギヤ体８ｃは逆転されてカバー８は図１の左側のストッパー部１２ａに当接部８ｄを当接させて閉じ位置に位置づけられる。入力軸９が正転される限り第三ギヤ１１１ａは逆転され続けるがカバー８が閉じ位置に至った後は連係ギヤ１１３ｇの回転は阻止されるので、トルクリミッター１１３ａにおいて空転を生じさせてこのカバー８が閉じ位置にある状態を機構に負荷を生じさせずに維持させるようになっている。
【００３２】
また、入力軸９の逆転時には第三ギヤ１１１ａは正転されトルクリミッター１１３ａも正転されることから、連係ギヤ１１３ｇを介してカバー側ギヤ体８ｃは正転されてカバー８は図２の右側のストッパー部１２ｂに当接部８ｄを当接させて開き位置に位置づけられる。入力軸９が逆転される限り第三ギヤ１１１ａは正転され続けるがカバー８が開き位置に至った後は連係ギヤ１１３ｇの回転は阻止されるので、トルクリミッター１１３ａにおいて空転を生じさせてこのカバー８が開き位置にある状態を機構に負荷を生じさせずに維持させるようになっている。
【００３３】
図示の例では、かかるトルクリミッター１１３ａは、軸体１１３ｂと、ピニオン１１３ｃと、押さえリング１１３ｆとから構成されている。軸体１１３ｂの一端が第三ギヤ１１１ａの外面側においてこの第三ギヤ１１１ａの回転中心位置に固定されている。軸体１１３ｂの他端はピニオン１１３ｃの一面側に形成された軸受けボス部１１３ｄに納められている。軸受けボス部１１３ｄはその突きだし端から基部に亘る割溝１１３ｅで区分されており、軸体１１３ｂの他端を軸受けボス部１１３ｄに納めた状態からこの軸受けボス部１１３ｄの外側に押さえリング１１３ｆを嵌め付けることで軸受けボス部１１３ｄの内径を絞って一定の摩擦抵抗が軸受けボス部１１３ｄの内面と軸体１１３ｂの外面との間に生じるようになっている。この摩擦抵抗を超えるトルクが作用されると軸受けボス部１１３ｄ内で軸体１１３ｂは空転され、これにより第三ギヤ１１１ａの回転を継続させながらカバー８が前記閉じ位置及び開き位置にある状態を維持するようになっている。
【符号の説明】
【００３４】
５  回転刃
７  氷搬送体
９  入力軸
１０  出力軸
１１０  第一ワンウェイクラッチ
１１０ａ  第一ギヤ
１１０ｂ  第二ギヤ
１１１  第二ワンウェイクラッチ
１１１ａ  第三ギヤ
１１１ｂ  第四ギヤ
１１２  中間ギヤ
【図１】
2010286186.tif 000003
【図２】
2010286186.tif 000004
【図３】
2010286186.tif 000005
【図４】
2010286186.tif 000006
【図５】
2010286186.tif 000007
【図６】
2010286186.tif 000008